(57)【要約】【課題】回路基板の裏面側の確認が容易に行なえかつ不正防止効果を高めた遊技機を提供する。【解決手段】軸支持部２６と軸受部２７が嵌め合わされて基板ケース２２を取付ベース２１に重ね合わせた状態でストッパー部材２９が組み付けられ、当該ストッパー部材２９は基板ケース２２を取付ベース２１に重ね合わせた状態から当該基板ケース２２を取付ベース２１と嵌め合わせた嵌め合い位置への移動を阻止するように組み付けられている。【選択図】図４
2009131504.tif 000002
【特許請求の範囲】
【請求項１】
遊技機背面側に設けられる取付ベースに回路基板が視認可能に収納された基板ケースが回転可能に組み付けられる遊技機であって、
前記基板ケースと取付ベースのうち一方側に軸受部が設けられ他方側に当該軸受部が嵌め合わされて回転可能に支持される軸部を有する軸支持部が設けられ、当該軸支持部と軸受部が嵌め合わされて前記基板ケースを取付ベースに重ね合わせた状態でストッパー部材がいずれか一方に組み付けられ、当該ストッパー部材は前記基板ケースを取付ベースに重ね合わせた状態から当該基板ケースを取付ベースと嵌め合わせた嵌め合い位置への移動を阻止するように組み付けられている遊技機。
【請求項２】
前記ストッパー部材は、基板ケースの嵌め合い位置への移動を阻止するとともに、当該基板ケースを取付ベースに重ね合わせた状態から起立させる向きへの回転角度を規制する請求項１記載の遊技機。
【請求項３】
前記軸支持部と軸受部が回転可能に嵌め合わされた後で前記基板ケースを嵌め合い位置から取付ベースに重ね合わせるように回転させて、当該重ね合わされた状態で前記取付ベースにストッパー部材が組み付けられ、当該ストッパー部材は前記基板ケースを取付ベースに重ね合わせた状態から嵌め合い位置まで回転するのを規制する請求項１又は２記載の遊技機。
【請求項４】
前記基板ケースを取付ベースに重ね合わせて相対的に移動させることで軸支持部と軸受部が回転可能に嵌め合わされた後で、前記取付ベースにストッパー部材が組み付けられ、当該ストッパー部材は前記基板ケースと取付ベースが嵌め合い位置まで相対的に移動するのを規制する請求項１又は２記載の遊技機。
【請求項５】
前記ストッパー部材は取付ベースに対して非可逆的に固着されている請求項１乃至４のいずれか１項記載の遊技機。
【発明の詳細な説明】
【技術分野】
【０００１】
本発明は、遊技盤の背面側に基板ケースを備えた遊技機に関する。
【背景技術】
【０００２】
パチンコ機などの遊技機には、外枠に対して開閉可能な内枠に遊技盤が着脱可能に組み付けられ、該内枠には前面枠が開閉可能に設けられている。遊技盤の中央窓部には図柄表示装置（液晶表示装置）が設けられ、その周囲には釘、スルーチャッカー、チャッカー、風車、アタッカー、電動チューリップ、レールなどの盤面部品やアウトロなどが設けられている。
【０００３】
遊技機の背面側には、各部の動作を制御する制御装置が組み付けられている。制御装置は制御基板が基板ケースに収納されたまま取付ベース（裏カバー、遊技盤背面等）に組み付けられる。例えば、遊技動作を制御する主制御基板、図柄表示装置の動作を制御する画像処理基板、払出装置の動作を制御する払出制御基板、発射装置の動作を制御する発射制御基板、商用電源電圧から電圧変換し整流された直流電圧を供給する電源基板などが設けられる。各制御基板に設けられたコネクタ端子に配線を接続することで、電力供給や信号の送受信等が行なわれる。
【０００４】
近年、遊技動作を変更したり払出動作を改変したりするロム交換や基板交換などの制御装置に対する不正行為を防止するため、様々な技術が提案されている。例えば、配線が接続される基板を内部に保持する基板保持部材が取付ベースに回転自在に取り付けられ、基板保持部材が所定角度回転した開放端の隙間から基板裏面側が反射して見える鏡面部材を設けた遊技機が提案されている（特許文献１参照）。
また、制御基板を収納する基板収納ボックスと取付け部をワンウェイネジによる非可逆的な固着状態で固着して、基板収納ボックスのすり替えを防止する遊技機が提案されている（特許文献２参照）。
【特許文献１】特開２００５−２６１６９６号公報
【特許文献２】特許第３７４７９７７号公報
【発明の開示】
【発明が解決しようとする課題】
【０００５】
しかしながら、上述した特許文献１の遊技機は、基板保持部材の軸受部材が取付ベースの軸支部に回転するように嵌め込まれているだけであるため、基板保持部材が取付ベースより容易に取り外されてしまい、ロム交換や基板交換などの不正が行なわれやすい。
【０００６】
また、特許文献２においては、基板収納ボックスを取付ベースの取付片にワンウェイネジを用いて固着されているため、不正に基板収納ボックスを外され難いが、ホール店員が回路基板の裏面側を点検する際に、取付ベース側の取付片を連結する連結部を切断して取付片が基板収納ボックス側にワンウェイネジにより固着した状態で取り外す。そして点検後の基板収納ボックスを取付ベースの異なる取付片にワンウェイネジで固着する作業が必要となる。このため、基板の点検交換作業に手間取るという課題があった。
【０００７】
本発明の目的は、上記従来技術の課題を解決し、回路基板の裏面側の確認が容易に行なえかつ不正防止効果を高めた遊技機を提供することにある。
【課題を解決するための手段】
【０００８】
本発明は上記目的を達成するため、次の構成を備える。
遊技機背面側に設けられる取付ベースに回路基板が視認可能に収納された基板ケースが回転可能に組み付けられる遊技機であって、前記基板ケースと取付ベースのうち一方側に軸受部が設けられ他方側に当該軸受部が嵌め合わされて回転可能に支持される軸部を有する軸支持部が設けられ、当該軸支持部と軸受部が嵌め合わされて前記基板ケースを取付ベースに重ね合わせた状態でストッパー部材がいずれか一方に組み付けられ、当該ストッパー部材は前記基板ケースを取付ベースに重ね合わせた状態から当該基板ケースを取付ベースと嵌め合わせた嵌め合い位置への移動を阻止するように組み付けられていることを特徴とする。
また、前記基板ケースを取付ベースに重ね合わせた状態でストッパー部材は軸支持部と軸受部の嵌め合い位置の近傍に前記基板ケースと取付ベースのいずれか一方に組み付けられる構成が望ましい。
【０００９】
また、前記ストッパー部材は、基板ケースの嵌め合い位置への移動を阻止するとともに、当該基板ケースを取付ベースに重ね合わせた状態から起立させる向きへの回転角度を規制することを特徴とする。
【００１０】
また、前記軸支持部と軸受部が回転可能に嵌め合わされた後で前記基板ケースを嵌め合い位置から取付ベースに重ね合わせるように回転させて、当該重ね合わされた状態で前記取付ベースにストッパー部材が組み付けられ、当該ストッパー部材は前記基板ケースを取付ベースに重ね合わせた状態から嵌め合い位置まで回転するのを規制することを特徴とする。
【００１１】
また、前記基板ケースを取付ベースに重ね合わせて相対的に移動させることで軸支持部と軸受部が回転可能に嵌め合わされた後で、前記取付ベースにストッパー部材が組み付けられ、当該ストッパー部材は前記基板ケースと取付ベースが嵌め合い位置まで相対的に移動するのを規制することを特徴とする。
ここで、相対的に移動とは、基板ケースを取付ベースに対して移動可能に設けられるか、取付ベースを基板ケースに対して移動可能に設けられるか、或いは両者が移動可能に設けられるかのいずれでもよいことを意図している。
【００１２】
また、前記ストッパー部材は取付ベースに対して非可逆的に固着されていることを特徴とする。
【発明の効果】
【００１３】
上述した遊技機を用いれば、軸支持部と軸受部が嵌め合わされて基板ケースを取付ベースに重ね合わせた状態でストッパー部材がいずれか一方に組み付けられ、当該ストッパー部材は基板ケースを取付ベースに重ね合わせた状態から当該基板ケースを取付ベースと嵌め合わせた嵌め合い位置への移動を阻止するように組み付けられている。よって、基板ケースを取付ベースに嵌め合わせて当該基板ケースを取付ベースより起立する向きに回転させて基板裏面側を確認し易くするとともに、基板ケースを取付ベースに重ね合わせた位置から嵌め合い位置への移動をストッパー部材により阻止されるので、基板ケースが取付ベースより外れなくなり不正防止効果も高めることができる。
【００１４】
また、ストッパー部材は、基板ケースを取付ベースと回転可能に嵌め合わせた状態から嵌め合い位置への移動を阻止するとともに当該基板ケースを取付ベースに重ね合わせた位置から起立させる向きへの回転角度を規制するので、簡易な構造で基板ケースの裏面側の確認と基板ケースの抜け止めを実現できる。
【００１５】
また、軸支持部と軸受部が回転可能に嵌め合わされた後で基板ケースを嵌め合い位置から取付ベースに重ね合わせるように回転させて、当該重ね合わされた状態で取付ベースにストッパー部材が組み付けられていると、当該ストッパー部材により基板ケースが取付ベースに対して嵌め合い位置まで回転するのを規制されるため、基板ケースが外れ難くなる。
【００１６】
また、基板ケースを取付ベースに重ね合わせて相対的に移動させることで軸支持部と軸受部が回転可能に嵌め合わされた後で、取付ベースにストッパー部材が組み付けられていると、当該ストッパー部材により基板ケースと取付ベースが嵌め合い位置まで相対的に移動するのを規制されるため、基板ケースが外れ難くなる。
【００１７】
また、ストッパー部材は取付ベースに対して非可逆的に固着されていると、基板ケースを外すためストッパー部材の取付ベースに対する固着部を一部破壊する必要があるため、不正行為が発見し易くなり第三者による不正行為が行なわれ難くなる。
【発明を実施するための最良の形態】
【００１８】
以下、本発明の実施形態について図面を参照しながら具体的に説明する。
図１を参照して本実施形態に係る遊技機の概略構成について説明する。本実施形態では遊技機の一例としてパチンコ機を例示して説明するものとする。
遊技機１は、外枠２と遊技盤３が設けられた内枠４（図２参照）と、該内枠４を覆う前面枠５を備えている。内枠４はヒンジ４ａにより外枠２に対して開閉可能に取り付けられている。また、前面枠５は内枠４に対して開閉可能に取り付けられている（ヒンジ部図示せず）。前面枠５の中央部には遊技者が遊技盤３を透視する窓部６が設けられている。該窓部６の周囲にスピーカーや光透過性樹脂材よりなる装飾部材７などが設けられている。前面枠５の下方には余剰球を貯留する球受け皿８、球受け皿８の左側にタバコの吸殻を収容する灰皿９、球受け皿８の右側に遊技盤３に遊技球を打ち出すためのハンドル１０が各々設けられている。
【００１９】
また、図２において、遊技機１の背面側には、賞球貯留タンク１１からタンクレール１２を介して接続する賞球払出装置１３や外枠２と内枠４、内枠４と前面枠５を各々施錠する施錠装置１４が設けられている。また、遊技機１の背面側には裏カバー（台座、遊技盤裏面など）１５が設けられ、該裏カバー１５には遊技機各部の動作を制御する制御基板が設けられている。例えば乱数生成や大当たりの発生回数など遊技動作を制御する主制御基板３１（図８（ａ）（ｂ）参照）、図柄表示装置（液晶表示装置）の動作を制御する画像処理基板１６、賞球払出装置１３の動作を制御する払出制御基板１７、発射装置の動作を制御する発射制御基板１８、商用電源電圧から電圧変換し整流された直流電圧を供給する電源基板１９、その他発光装置や音声出力装置の制御基板、外部出力端子が設けられた通信基板２０などが設けられる。これらの制御基板は、後述するように基板ケースに各々収納されて裏カバー１５に取り付けられる。
以下では、不正行為防止の観点から特に組み付け後に基板ケースにかしめが必要となる主制御基板を収納する基板ケースを想定して説明を行なうものとする。なお、払出制御基板等を収納する基板ケースにも適用することができる。
【００２０】
図３において、遊技機背面側に設けられた裏カバー１５（図２参照）には取付ベース２１が設けられている。この取付ベース２１上には基板ケース２２が回転可能に設けられる。基板ケース２２はケース本体２３に回路基板が組み付けられる蓋カバー２４を嵌め合わせて構成される。蓋カバー２４はケース本体２３を覆った状態で例えばワンウェイネジ（図示せず）によりねじ止め固定されている。ねじ穴には図示しない封入部材が嵌め込まれてねじ頭部を覆っている。基板ケース２２には複数のねじ穴２２ａ〜２２ｄが設けられている。蓋カバー２４を開放するには、ワンウェイネジが連結する蓋カバー２４とケース本体２３の連結片をニッパなどで切り離すことで開放することができる。再度蓋カバー２４をケース本体２３に組み付けるには、未使用のねじ穴にワンウェイネジをねじ嵌合させて頭部を封入することにより固着される。
【００２１】
図３において、基板ケース２２は、取付ベース２１の一端側の縁部に２箇所に設けられた軸部２５を有する軸支持部２６に、ケース本体２３に設けられた軸受部２７が回転可能に嵌め込まれ、他端側の縁部に設けられたフック２８を蓋カバー２４に係止することで組み付けられている。尚、基板ケース２２側に軸部２５を有する軸支持部２６が設けられ、取付ベース２１側に軸部２５に嵌合する軸受部２７が設けられていてもよい。また、取付の基体となる取付ベース２１は、固定タイプでも可動タイプでもいずれでもよい。
【００２２】
図４において、蓋カバー２４に係止するフック２８を外すことにより、基板ケース２２を軸支持部２６の軸部２５（図３参照）を中心に所定角度だけ回転することができるようになっている。基板ケース２２は透明樹脂材（アクリル樹脂板、ポリカーボネイト樹脂板など）が用いられているため、基板裏面側をケース外から視認することができる。基板ケース２２内には回路基板（主制御基板）３１（図８（ａ）（ｂ）参照）が収納されている。基板ケース２２は透明樹脂材に限らず、ケース外より基板を視認可能な構成であればよい。
【００２３】
図５において、ケース本体２３の側面部には軸受部２７が２箇所で外側に向かってアーム状に突設されている。軸受部２７は略Ｕ字状に形成され蓋カバー２４に向けて開口した凹部２７ａを通じてケース本体２３側の軸部２５と嵌め合わされる。また、取付ベース２１に設けられる軸支持部２６は、軸受部２７に対向する縁部に軸部２５が両側を一対の支持部３０により支持されている。
【００２４】
図３において、基板ケース２２を取付ベース２１に重ね合わせて軸部２５を中心に回転可能に支持された状態で、軸支持部２６間のスペースにストッパー部材２９が組み付けられている。ストッパー部材２９は、取付ベース２１に係止してねじ止め固定される（図７参照）。図４において、基板ケース２２を取付ベース２１から起立するように回転させると、基板ケース２２がストッパー部材２９に干渉して回転角度が所定角度に回転規制される。尚、ストッパー部材２９は、必ずしも取付ベース２１に取り付けられるものではなく、基板ケース２２側のケース本体２３若しくは蓋カバー２４のいずれかに取り付けられていてもよい。
【００２５】
以下、基板ケース２２の取付ベース２１に対する組み付け動作について図５乃至図８を参照しながら説明する。
図５において取付ベース２１の軸支持部２６の軸部２５に対して軸受部２７の凹部２７ａが対向するように基板ケース２２のケース本体２３側を上にして重ね合わせる。
【００２６】
そして、図６において基板ケース２２を取付ベース２１に近づけて、軸受部２７を軸部２５に嵌め合わせる。このとき、取付ベース２１はケース本体２３と所定開き角度（例えば１８０度）に展開した状態で組み付けられている。
【００２７】
次に、図６において、基板ケース２２を軸受部２７が嵌合する軸部２５を中心に反時計回り方向へ回転させて、ケース本体２３を取付ベース２１上に重ね合わせ蓋カバー２４が上になるように基板ケース２２が取付ベース２１と重なり合う位置まで回転させる。基板ケース２２は、フック２８が蓋カバー２４の上縁部に係止して固定される（図３参照）。
【００２８】
次いで、図７において、基板ケース２２と取付ベース２１が重ね合わされた状態で軸支持部２６と軸受部２７の嵌め合い位置の近傍にストッパー部材２９が組み付けられる。ストッパー部材２９はその両側側面部に形成されたスリット２９ａを取付ベース２１の枠部２１ａに係止させて組み付けられ、取付ベース２１の裏面側よりねじ穴２１ｂにねじ２１ｃが嵌め込まれてねじ止め固定される。ねじ２１ｃは、取り外し可能な可逆構造でねじ止めされてもよいがワンウェイネジのように不可逆構造にねじ止めされていてもよい。
【００２９】
図８（ａ）において、基板ケース２２とフック２８との係合を解除し、図８（ｂ）に示すように基板ケース２２を軸受部２７が嵌合する軸部２５を中心に時計回り方向に回転させる。これにより、ホール店員が基板裏面側を確認して不正が行なわれた否かを検証することができる。また、図８（ｂ）において、基板ケース２２が取付ベース２１に対して所定角度（例えば９０度）回転すると、蓋カバー２４の側面部２４ａがストッパー部材２９の上面に突き当たるため、それ以上の回転が規制される。よって、基板ケース２２の取付ベース２１からの取り外しはできなくなる。
尚、基板ケース２２の回転角度は、蓋カバー２４の形状、ストッパー部材２９の形状を変えることで任意に設定することができる。
【００３０】
次に、基板ケース２２と取付ベース２１の嵌め合い構造の他例について図９乃至図１２を参照して説明する。上記実施例と同一部材には同一番号を用いて説明を援用するものとする。
図９乃至図１２において、本実施例では、基板ケース２２を取付ベース２１に重ね合わせた後で相対的に移動させることで軸支持部２６と軸受部２７が抜け止めされかつ回転可能に嵌め合わされた後で、軸支持部２６と軸受部２７の嵌め合い位置の近傍にストッパー部材２９が組み付けられる。以下、基板ケース２２と取付ベース２１の嵌め合い構造を組み付け動作とともに説明する。
【００３１】
図９（ａ）（ｂ）において、基板ケース２２には軸支持部２６が設けられている。ケース本体２３の側面に一対の支持部３２が２箇所で外側に向けて突設されている。一対の支持部３２間には軸部３３が両側を支持固定されている。一方、取付ベース２１には軸部３３が嵌め合わされる軸受部２７が設けられている。取付ベースには第１軸受部３４、第２軸受部３５が対向することなく軸方向に位置をずらして２箇所に突設されている。第１軸受部３４は弧状に突設された爪形状をしており、第２軸受部３５はＬ字状に突設されたフック形状をしており、いずれも軸部３３が嵌め合わされる対向面の形状は弧面に形成されている。尚、軸支持部２６が取付ベース２１に設けられ、軸受部２７が基板ケース２２に設けられていてもよい。
【００３２】
先ず、図９（ａ）（ｂ）において、基板ケース２２をケース本体２３が下になるようにして取付ベース２１上に重ね合わせ、軸支持部２６の軸部３３と支持部３２により囲まれた空間部３６に第１軸受部３４を各々挿入するように配置する。そして、基板ケース２２を矢印Ｐ方向へ軸方向にスライドさせる。
【００３３】
図１０（ａ）（ｂ）は基板ケース２２をスライドさせた状態を示す。
基板ケース２２の軸支持部２６は、軸部３３が第１軸受部３４と第２軸受部３５に各々当接して回転可能に嵌め合わされる。軸部３３は軸方向に第１軸受部３４によって移動が規制され、軸方向と直交する方向に第１，第２軸受部３４，３５及び取付ベース２１に囲まれて移動が規制されている。
【００３４】
上述したように軸支持部２６と軸受部２７が回転可能に嵌め合わされた後で、図１１（ａ）（ｂ）において軸支持部２６と軸受部２７の嵌め合い位置の近傍であって取付ベース２１上にストッパー部材２９が組み付けられる。取付ベース２１には複数のねじ穴２１ｂ（図９（ａ）（ｂ）参照）が設けられており、ストッパー部材２９は、取付ベース２１の裏面側よりねじ穴２１ｂ（図９（ａ）（ｂ）参照）にねじ２１ｃ（図７参照）を嵌め込んで固定される。ねじ２１ｃはワンウェイネジを用いて不可逆構造にねじ止めされていてもよい。この場合には、基板ケース２２を外すためストッパー部材２９の取付ベース２１に対する固着部を一部破壊する必要があるため、不正行為が発見し易くなり第三者による不正が行なわれ難くなる。
【００３５】
図１２において、基板ケース２２を取付ベース２１に重ね合わさった状態から取付ベース２１より起立させる方向に軸部３３を中心に時計回り方向に回転させる。これにより、ホール店員が基板裏面側を確認して不正が行なわれた否かを検証することができる。また、図１２において、基板ケース２２が取付ベース２１に対して所定角度（例えば９０度）回転すると、蓋カバー２４の側面部２４ａがストッパー部材２９の上面に突き当たるため、それ以上の回転が規制される。また、基板ケース２２と取付ベース２１を相対的にスライドさせようとしても支持部３２がストッパー２９に突き当たって移動が規制される。よって、基板ケース２２の取付ベース２１からの取り外しはできなくなる。
【００３６】
なお、本発明では遊技機の一例としてパチンコ遊技機について説明したが、スマートボールやアレンジボール、スロットマシンなど他の遊技機にも適用できる。
【図面の簡単な説明】
【００３７】
【図１】遊技機の正面図である。
【図２】遊技機の背面図である。
【図３】取付ベースに組み付けられた基板ケースの斜視図である。
【図４】基板ケースを回転させた状態を示す斜視図である。
【図５】基板ケースの取付ベースへの組み付け動作を示す斜視図である。
【図６】基板ケースの取付ベースへの組み付け動作を示す斜視図である。
【図７】基板ケースの取付ベースへの組み付け動作を示す斜視図である。
【図８】基板ケースの取付ベースからの開放動作を示す断面図である。
【図９】他例に係る基板ケースと取付ベースの組み付け動作を示す部分正面図及び部分斜視図である。
【図１０】他例に係る基板ケースと取付ベースの組み付け動作を示す部分正面図及び部分斜視図である。
【図１１】他例に係る基板ケースと取付ベースの組み付け動作を示す部分正面図及び部分斜視図である。
【図１２】他例に係る基板ケースを回転させた状態を示す部分斜視図である。
【符号の説明】
【００３８】
１  遊技機
２  外枠
３  遊技盤
４  内枠
４ａ  ヒンジ
５  前面枠
６  窓部  
７  装飾部材  
８  球受け皿  
９  灰皿  
１０  ハンドル  
１１  賞球貯留タンク  
１２  タンクレール  
１３  賞球払出装置  
１４  施錠装置  
１５  裏カバー  
１６  画像処理基板  
１７  払出制御基板  
１８  発射制御基板  
１９  電源基板  
２０  通信基板  
２１  取付ベース  
２１ａ  枠部
２１ｂ、２２ａ，２２ｂ，２２ｃ，２２ｄ  ねじ穴  
２１ｃ  ねじ
２２  基板ケース  
２３  ケース本体  
２４  蓋カバー  
２４ａ  側面部
２５、３３  軸部  
２６  軸支持部  
２７  軸受部  
２７ａ  凹部  
２８  フック  
２９  ストッパー部材  
２９ａ  スリット
３１  回路基板（主制御基板）
３０、３２  支持部  
３４  第１軸受部  
３５  第２軸受部
３６  空間部
【図１】
2009131504.tif 000003
【図２】
2009131504.tif 000004
【図３】
2009131504.tif 000005
【図４】
2009131504.tif 000006
【図５】
2009131504.tif 000007
【図６】
2009131504.tif 000008
【図７】
2009131504.tif 000009
【図８】
2009131504.tif 000010
【図９】
2009131504.tif 000011
【図１０】
2009131504.tif 000012
【図１１】
2009131504.tif 000013
【図１２】
2009131504.tif 000014